(57)【要約】【課題】メッセージレターを写真と共に残すことできると共に、デジタル写真に対応した現代性を持った写真アルバムを提供する。【解決手段】この写真アルバムは、表側表紙部２または裏側表紙部３の裏側の裏表紙に、メッセージレターを収納するための、レターポケット７が設けられている。【選択図】図１
0003121236.tif 000002
【実用新案登録請求の範囲】
【請求項１】
表側表紙部または裏側表紙部の裏側の裏表紙に、メッセージレターを収納するための、レターポケットを設けたことを特徴とする写真アルバム。
【請求項２】
前記写真アルバムのアルバムページ部の一部台紙に、写真の画像データを記憶したコンパクトディスクを収納するＣＤ収納部を設けたことを特徴とする請求項１記載の写真アルバム。
【請求項３】
前記アルバムページ部の各台紙には、該台紙と同じ大きさの写真印画紙が貼着され、表紙部には、写真をプリントした印画紙カバーシートが該表紙部の表側表紙部と裏側表紙部の芯厚紙の表面を覆って配設されたことを特徴とする請求項２記載の写真アルバム。
【考案の詳細な説明】
【技術分野】
【０００１】
本考案は、写真スタジオなどで製作される写真アルバムに関し、特にその背表紙部にレターポケットを設け、そのアルバムの写真に写った人のメッセージを書いたレターを、そのレターポケットに収納することができる写真アルバムに関する。
【背景技術】
【０００２】
従来、一般に使用されている写真アルバムは、通常、表側表紙部と裏側表紙部を、背表紙部を介在させて配設した表紙部と、表紙部の内側に挿入・接着される台紙部とを備えて構成され、その表紙部は、所定の大きさに裁断した厚紙の全体をカバー紙で包むように接着し、表側表部と裏側表示部が背表紙部から開閉できるように形成されている。
【０００３】
表紙部のカバー紙には、一般に各種の色や装飾を施した装飾シート、布などが使用されているところ、近年、オリジナルの画像をプリントした印画紙を表紙部に貼着した写真アルバムが、下記特許文献１などで提案されている。
【特許文献１】特開２００３−４８３８１号公報
【考案の開示】
【考案が解決しようとする課題】
【０００４】
しかし、従来のこの種の写真アルバムは、表紙部に写真をプリントした印画紙を単に貼着したのみであるため、デジタル写真に対応した現代性、或いはアート性に欠ける課題があった。
【０００５】
また、従来の写真アルバムは、単にプリントした印画紙を台紙に貼着するのみであり、そのようなアルバムは、写真を見る人にとっては、写真に写った人が、その当時、どんなメッセージをもっていたのか解らない。
【０００６】
また、アルバムに写っている人がその人のメッセージ（思い）をレターに書いて残したとしても、写真アルバムと共にそのメッセージレターが保存されていない場合、例えば後世の人がそのアルバムの写真を見たとしても、その写真に写った人の当時の思いなどは伝わりにくい。
【０００７】
本考案は、上述の課題を解決するものであり、メッセージレターを写真と共に残すことできると共に、デジタル写真に対応した現代性を持った写真アルバムを提供することを目的とする。
【課題を解決するための手段】
【０００８】
上記目的を達成するために、本願考案の請求項１の写真アルバムは、表側表紙部または裏側表紙部の裏側の裏表紙に、メッセージレターを収納するための、レターポケットを設けたことを特徴とする。
【０００９】
また、請求項２の発明は、上記請求項１の写真アルバムにおいて、上記写真アルバムのアルバムページ部の一部台紙に、写真の画像データを記憶したコンパクトディスクを収納するＣＤ収納部を設けたことを特徴とする。
【００１０】
また、請求項３の発明は、請求項２の写真アルバムにおいて、上記アルバムページ部の各台紙には、台紙と同じ大きさの写真印画紙が貼着され、表紙部には、写真をプリントした印画紙カバーシートが表紙部の表側表紙部と裏側表紙部の芯厚紙の表面を覆って配設されたことを特徴とする。
【考案の効果】
【００１１】
上記構成の写真アルバムは、裏表紙に、メッセージレターを収納するための、レターポケットが設けられているから、例えば、結婚式などで撮影した写真の写真アルバムを、両親、知人或いは親戚などに送る場合、新郎、新婦のメッセージ（思い）を書いた自筆のメッセージレターを、レターポケットに入れて送る。この写真アルバムを送られた人は、単に写真に写った当人の姿を見るだけではなく、そのメッセージ（思い）をも読むことにより、写真に写っている本人の感謝の思いなどを感じ取ることができる。
【００１２】
また、当人やその家族が数年後にその写真アルバムを見たとき、そのメッセージレターから写真の当人が当時どのような感想を抱いていたのかを感じることができる。さらに、後世の人がそのアルバムの写真を見た場合、写真を見ただけでは、その写真に写った人が当時どのような思いをもっていたのかは知る由もないが、このようなときに、写真と共に収納されているメッセージレターを読めば、写真アルバムと共にその写真に写った人のメッセージ（思い）をレターから読み取ることができる。
【００１３】
また、請求項２の発明によれば、写真アルバムのアルバムページ部の一部台紙に、写真の画像データを記憶したコンパクトディスクを収納するＣＤ収納部が設けられるから、アルバムの写真をさらにプリントしたい場合、コンパクトディスクをパソコンに入れてプリンタで簡単に印刷することができ、或いは写真ラボに焼き増しのプリントを依頼することができる。
【００１４】
また、請求項３の発明によれば、写真アルバムは、アルバムページ部の各台紙に、台紙と同じ大きさの写真印画紙が貼着され、表紙部の表側表紙部と裏側表紙部には、表紙部の芯厚紙の表面を覆うように写真をプリントした印画紙カバーシートが配設されるから、アルバムの各ページは、その全体が印画紙となって写真がそこにプリントされることになる。
【００１５】
このため、写真アルバムを製作する写真スタジオなどは、結婚式などの写真をデジタルカメラで撮影し、その写真画像をパソコンの画像処理ソフトを使用して、アルバムの各ページのレイアウトや文字などを挿入してアルバムの各ページや表紙のデザインを製作することができるから、恰も有名人の写真集のような写真アルバムを製作して、この種の写真アルバムの商品価値を向上させることができる。
【考案を実施するための最良の形態】
【００１６】
以下、本考案の一実施形態を図面に基づいて説明する。図１は写真アルバムの斜視図を示し、図２はそのアルバムページ部の１ページの分解斜視図を示し、図３はアルバムページ部の一部台紙に設けたＣＤ収納部６６と裏表紙に設けたレターポケット７を示している。本写真アルバムは、図１に示すように、表紙部１と、その表紙部１内に挿入し綴じ込まれたアルバムページ部６とから構成される。
【００１７】
表紙部１は、背表紙部４を間に挟むようにしてその両側に表側表紙部２と裏側表紙部３を配設し、表側表紙部２と裏側表紙部３を背表紙部４に対し開閉可能に形成して構成される。表側表紙部２と裏側表紙部３と背表紙部４の外側には、印画紙カバーシート２ｂ，３ｂが芯厚紙２ａ、３ａを覆って配設され、印画紙カバーシート２ｂ，３ｂの両端部は、芯厚紙２ａ、３ａの内側に貼着される。
【００１８】
表側と裏側の印画紙カバーシート２ｂ，３ｂは別体に形成することができるが、１枚の印画紙で一体に形成することもでき、その場合、結婚式のデジタル写真などの別カットの画像を複数個紙面にレイアウトして、印画紙にプリントし、一体的に印画紙カバーシート２ｂ，３ｂを作成することができる。これにより、例えば、写真スタジオで撮影した通常の人の写真アルバムが、恰も有名人の写真集のような表紙のアルバムを作ることができる。
【００１９】
表紙部１の内側に綴じ込んで貼着するアルバムページ部６は、図２のように、台紙６１の表面と裏面に、台紙と同じ大きさの写真印画紙６２を貼着したページを複数枚重ね、その背部に粘着シートを貼着して、開閉可能に綴じ合わせて形成される。各ページに貼着される写真印画紙６２の写真画像は、例えば写真スタジオで、デジタルカメラにより依頼者の結婚式風景などとして撮影され、その写真画像をパソコンの画像処理ソフトを使用して、アルバムの各ページのレイアウトや文字などを挿入し、有名人の写真集のように各ページをデザインする。つまり、写真印画紙６２の上に複数の写真カットを配置し、その間に文字などを配置して、各ページをデザインし、その画像をプリント装置に出力して、写真印画紙６２にプリントする。
【００２０】
また、図３に示すように、アルバムページ部６の最後のページとなる部分にはＣＤ用台紙６５が綴じ込まれる。このＣＤ用台紙６５は厚紙をページ形状に裁断して形成され、そこにはコンパクトディスクを収納可能なＣＤ収納部６６が略円形に開口して形成される。そして、そのＣＤ収納部６６には表側からデジタル画像（このアルバムで使用されたデジタル写真の画像データ）を記憶したＣＤ−Ｒなどが嵌め込まれる。アルバムページ部６の表面と裏面は表紙部１の表側表紙部２と裏側表紙部３の内側に貼着され、これにより、表紙部１の内側にアルバムページ部６は綴じ込まれる。
【００２１】
さらに、裏側表紙部３の裏側の裏表紙３ｃには、メッセージレターを収納するための、レターポケット７が設けられる。このレターポケット７は、簡易的には矩形の封筒を裏表紙３ｃに貼着するのみでもよいし、専用のレターポケットを作り裏表紙３ｃに貼着してもよい。レターポケット７は淡い色に着色したり、ハートなどの図案を印刷し、或いは文字などを印刷することができる。
【００２２】
上記のように構成される写真アルバムは、例えば、写真スタジオなどで結婚式の写真を撮影した際、その写真を使用してアルバムが製作される。
【００２３】
この写真アルバムは、その裏表紙に、メッセージレターを収納するための、レターポケット７が設けられているから、例えば、結婚式などで撮影した写真の写真アルバムを、両親、知人或いは親戚などに送る場合、新郎、新婦のメッセージ（思い）を書いた自筆のメッセージレターを、レターポケット７に入れて送ることができる。
【００２４】
この写真アルバムを送られた人は、単に写真に写った当人の姿を見るだけではなく、そのメッセージ（思い）をも読むことにより、写真に写っている本人の感謝の思いなどを感じ取ることができる。
【００２５】
また、新郎、新婦の手元に残すアルバムの場合、新郎から新婦へ或いは新婦から新郎へのメッセージを書いたレターをレターポケット７に入れておくこともできる。
【００２６】
このようなメッセージレターが写真を共に収納されていると、当人やその家族が数年後にその写真アルバムを見たとき、そのメッセージレターから写真の当人が当時どのような感想を抱いていたのかを感じることができる。
【００２７】
さらに、後世の人がそのアルバムの写真を見た場合、写真を見ただけでは、その写真に写った人が当時どのような思いをもっていたのかは知る由もないが、このようなときに、写真と共に収納されているメッセージレターを読めば、写真アルバムと共にその写真に写った人のメッセージ（思い）をレターから読み取ることができる。
【００２８】
一方、アルバムページ部６のＣＤ用台紙６５に、写真の画像データを記憶したコンパクトディスクを収納するＣＤ収納部６６が設けられ、そこに写真画像データを記憶したＣＤ−Ｒなどが収納されるから、アルバムの写真をさらにプリントしたい場合、コンパクトディスクをパソコンに入れてプリンタで簡単に印刷することができ、或いは写真ラボに焼き増しのプリントを依頼することができる。
【００２９】
また、写真アルバムは、アルバムページ部６の各台紙に、台紙と同じ大きさの写真印画紙が貼着され、表紙部１の表側表紙部２と裏側表紙部３には、表紙部１の芯厚紙２ａ，３ａの表面を覆うように写真をプリントした印画紙カバーシート２ｂ、３ｂが配設されるから、アルバムの各ページは、その全体が印画紙となって写真がそこにプリントされることになる。
【００３０】
このため、写真アルバムを製作する写真スタジオなどは、結婚式などの写真をデジタルカメラで撮影し、その写真画像をパソコンの画像処理ソフトを使用して、アルバムの各ページのレイアウトや文字などを挿入してアルバムの各ページや表紙のデザインを製作することができるから、恰も有名人の写真集のような写真アルバムを製作して、この種の写真アルバムの商品価値を向上させることができる。
【図面の簡単な説明】
【００３１】
【図１】本考案の一実施形態を示す写真アルバムの斜視図である。
【図２】アルバムページ部の分解斜視図である。
【図３】ＣＤ収納部とレターポケットを示す写真アルバムの斜視図である。
【符号の説明】
【００３２】
１  表紙部
２  表側表紙部
２ｂ  印画紙カバーシート
３  裏側表紙部
３ｂ  印画紙カバーシート
３ｃ  裏表紙
６  アルバムページ部
６１  台紙
６２  印画紙
６５  ＣＤ用台紙
６６  ＣＤ収納部
７  レターポケット
【図１】
0003121236.tif 000003
【図２】
0003121236.tif 000004
【図３】
0003121236.tif 000005